(57)【要約】【課題】保護層としての剥離紙を事前にラミネートフィルムから剥がすことなく、ラミネートフィルムを貼付対象物の被貼付面に貼り付けることができるラミネートシートを提供する。【解決手段】貼付対象物１５の被貼付面１６に貼り付けられるラミネートフィルム層１２と、ラミネートフィルム層１２の一方の面に設けられた第１の粘着層１１と、ラミネートフィルム層１２の他方の面側に設けられた保護層１４と、保護層１４とラミネートフィルム層１２の他方の面との間に介在する第２の粘着層１３とを備え、ラミネートフィルム層１２と保護層１４とを分離させると、第２の粘着層１３は、保護層１４に貼り付いた状態でラミネートフィルム層１２の他方の面から離れる。【選択図】図２
2007118327.tif 000002
【特許請求の範囲】
【請求項１】
貼付対象物の被貼付面に貼り付けられるラミネートフィルム層と、該ラミネートフィルム層の一方の面に設けられた第１の粘着層と、前記ラミネートフィルム層の他方の面に設けられた保護層と、該保護層と前記ラミネートフィルム層の前記他方の面との間に介在する第２の粘着層とを備え、
前記ラミネートフィルム層と前記保護層とを分離させると、前記第２の粘着層は、前記保護層に貼り付いた状態で前記ラミネートフィルム層の前記他方の面から離れることを特徴とするラミネートシート。
【請求項２】
前記第２の粘着層と前記ラミネートフィルム層とは、前記保護層と前記第２の粘着層との貼着力よりも小さな貼着力で貼り付いていることを特徴とする請求項１に記載のラミネートシート。
【請求項３】
前記ラミネートフィルム層と前記第１の粘着層とは、前記第２の粘着層と前記ラミネートフィルム層との貼着力よりも大きな貼着力で貼り付いていることを特徴とする請求項２に記載のラミネートシート。
【請求項４】
前記第１の粘着層は、前記被貼付面に貼り付けられると、該被貼付面との間に前記第２の粘着層と前記ラミネートフィルム層との貼着力よりも大きな貼着力を作用させることを特徴とする請求項３に記載のラミネートシート。
【請求項５】
前記第１の粘着層は、前記保護層との間に、前記第２の粘着層と前記ラミネートフィルム層との貼着力よりも小さな貼着力を作用させることを特徴とする請求項４に記載のラミネートシート。
【請求項６】
前記保護層は、前記第２の粘着層が貼り付けられた面の反対側に位置する面に剥離処理が施された剥離紙により構成されていることを特徴とする請求項５に記載のラミネートシート。
【発明の詳細な説明】
【技術分野】
【０００１】
本発明は、例えば、各種プリンタ等で印字された文字および形成された画像等を保護するために、印字された面にラミネートフィルムを貼り付けるためのラミネートシートに関する。
【背景技術】
【０００２】
従来、各種プリンタ等で印字された文字および形成された画像（以下印字ともいう。）等を保護するために、熱転写ラミネートシートを用いて印字された面にラミネートフィルムを貼り付けることが知られており、例えば、印字された面すなわち被貼付面が長尺に渡る場合にはロール状に巻き取られた熱転写ラミネートシートが用いられる（例えば、特許文献１参照。）。この場合、ロール状の熱転写ラミネートシートを繰り出し自在に設置し、貼付対象物の被貼付面の上に熱転写ラミネートシートを重ねて加熱された一対のローラのニップ部を通過させることにより、長尺の被貼付面に連続的にラミネートフィルムを貼り付けることができる。
【０００３】
また、貼付作業を容易とするために、熱を加えることなく被貼付面にラミネートフィルムを貼り付けることができるラミネートシートが知られている。このものは、ラミネートフィルムの貼付面に粘着剤が塗布され、貼り付け時以外の粘着剤の保護および粘着剤が意図しない物に貼り付くことを防止するために、粘着剤が保護層としての剥離紙により覆われている。このラミネートシートを用いる場合、剥離紙を剥がしてラミネートフィルムの粘着剤側すなわち貼付面を被貼付面と対向させて互いに圧接させることにより、ラミネートフィルムを被貼付面に貼り付けることができる。
【特許文献１】特開２００２−１８９５３号公報（第２−１１頁、第２図）
【発明の開示】
【発明が解決しようとする課題】
【０００４】
しかしながら、上記した加熱を必要としないラミネートシートでは、ラミネートフィルムの貼付面に塗布された粘着剤が剥離紙で覆われていることから、ラミネート処理時には先ずラミネートフィルムから剥離紙を剥がす工程が必要であり、次にラミネートフィルムを貼り付ける工程を行う必要がある。このため、被貼付面が長尺に渡る場合には、例えば、ロール状のラミネートシートが繰り出し自在に設置された個所と、被貼付面の上にラミネートシートが重ねられた貼付対象物を圧接させる一対のローラとの間に、ラミネートフィルムから剥離紙を剥がすための機構を設ける必要がある。
【０００５】
そこで、本発明の目的は、保護層としての剥離紙を事前にラミネートフィルムから剥がすことなく、ラミネートフィルムを貼付対象物の被貼付面に貼り付けることができるラミネートシートを提供することにある。
【課題を解決するための手段】
【０００６】
上記した課題を解決するために、請求項１に記載のラミネートシートは、貼付対象物の被貼付面に貼り付けられるラミネートフィルム層と、該ラミネートフィルム層の一方の面に設けられた第１の粘着層と、前記ラミネートフィルム層の他方の面に設けられた保護層と、該保護層と前記ラミネートフィルム層の前記他方の面との間に介在する第２の粘着層とを備え、前記ラミネートフィルム層と前記保護層とを分離させると、前記第２の粘着層は、前記保護層に貼り付いた状態で前記ラミネートフィルム層の前記他方の面から離れることを特徴とする。
【０００７】
請求項２に記載のラミネートシートは、請求項１に記載のラミネートシートであって、前記第２の粘着層と前記ラミネートフィルム層とは、前記保護層と前記第２の粘着層との貼着力よりも小さな貼着力で貼り付いていることを特徴とする。
【０００８】
請求項３に記載のラミネートシートは、請求項２に記載のラミネートシートであって、前記ラミネートフィルム層と前記第１の粘着層とは、前記第２の粘着層と前記ラミネートフィルム層との貼着力よりも大きな貼着力で貼り付いていることを特徴とする。
【０００９】
請求項４に記載のラミネートシートは、請求項３に記載のラミネートシートであって、前記第１の粘着層は、前記被貼付面に貼り付けられると、該被貼付面との間に前記第２の粘着層と前記ラミネートフィルム層との貼着力よりも大きな貼着力を作用させることを特徴とする。
【００１０】
請求項５に記載のラミネートシートは、請求項４に記載のラミネートシートであって、前記第１の粘着層は、前記保護層との間に、前記第２の粘着層と前記ラミネートフィルム層との貼着力よりも小さな貼着力を作用させることを特徴とする。
【００１１】
請求項６に記載のラミネートシートは、請求項５に記載のラミネートシートであって、前記保護層は、前記第２の粘着層が貼り付けられた面の反対側に位置する面に剥離処理が施された剥離紙により構成されていることを特徴とする。
【発明の効果】
【００１２】
本発明に係るラミネートシートによれば、保護層をラミネートフィルム層から分離させると第２の粘着層が保護層と一緒にラミネートフィルム層から分離されるので、第１の粘着層の粘着力により一方の面でラミネートフィルム層を貼付対象物の被貼付面に貼り付けることができ、かつ第２の粘着層が取り除かれたラミネートフィルム層の他方の面を被貼付面の表面側に位置させることができる。このように、ラミネートフィルム層の一方の面を貼付面とすることができるので、保護層をラミネートフィルム層から分離させる前であってもラミネートフィルム層を被貼付面に貼り付けることができる。このため、例えば、被貼付面が長尺に渡る場合であっても、ロール状のラミネートシートを繰り出し自在に設置し、被貼付面の上にラミネートシートが重ねられた貼付対象物を一対のローラのニップ部を通過させて圧接させることでラミネートフィルム層を被貼付面に貼り付けることができる。
【発明を実施するための最良の形態】
【００１３】
本発明を図１ないし図５に示した実施例に沿って詳細に説明する。
【実施例】
【００１４】
図１は、本発明に係るラミネートシート１０を模式的に示す断面図である。
【００１５】
ラミネートシート１０は、全体に帯状を呈し、厚さ方向に積層された、第１の粘着層１１と、ラミネートフィルム層１２と、第２の粘着層１３と、保護層１４とを備える。
【００１６】
第１の粘着層１１および第２の粘着層１３は、粘着剤が塗布されて形成されており、第１の粘着層１１の貼着力が第２の粘着層１３の貼着力よりも大きくなるように設定されている。本実施例では、第１の粘着層１１には、加熱を必要とすることなく貼り付けることができるラミネートシートに適用されている公知の粘着剤が用いられ、第２の粘着層１３には、例えば、紙に貼り付けても容易に剥がすことができる弱い貼着力の粘着剤が用いられている。
【００１７】
ラミネートフィルム層１２は、光の透過を許す薄い膜状の部材で構成されている。ラミネートフィルム層１２は、本実施例では、加熱を必要とすることなく貼り付けることができるラミネートシートに適用されている公知のラミネートフィルムが用いられている。
【００１８】
保護層１４は、薄い膜状の部材で構成されており、第２の粘着層１３と接する反対側の面Ｅ（図１で見た上方側）に剥離処理が施されている。この剥離処理とは、後述するように、第１の粘着層１１の保護層１４に対する貼着力を弱くするための処理であり、公知の技術を用いて施すことができる。本実施例では、保護層１４は、加熱を必要とすることなく貼り付けることができるラミネートシートに適用されている公知の剥離紙が用いられている。
【００１９】
上記した各層１１〜１４は、互いの間に作用する貼着力が以下の関係となるように、適宜材料が選定され、かつ適宜接触面に加工が施されている。図１に示すように、第１の粘着層１１とラミネートフィルム層１２との間を境界面Ａとし、ラミネートフィルム層１２と第２の粘着層１３との間を境界面Ｂとし、第２の粘着層１３と保護層１４との間を境界面Ｃとする。また、第１の粘着層１１のラミネートフィルム層１２と接する反対側の面（図１で見た下方側）を粘着面Ｄとし、保護層１４の剥離処理が施された面を剥離面Ｅとする。
【００２０】
境界面Ｃには、境界面Ｂよりも大きな貼着力が作用する。これにより、ラミネートシート１０では、保護層１４をラミネートフィルム層１２から分離させると、第２の粘着層１３が保護層１４と一緒にラミネートフィルム層１２から分離することとなる（図２参照。）。
【００２１】
境界面Ａには、境界面Ｂよりも大きな貼着力が作用する。また、後述するように、粘着面Ｄが貼付対象物１５の被貼付面１６（図２の二点鎖線参照。）に貼り付けられた場合、粘着面Ｄには、境界面Ｂよりも大きな貼着力が作用する。これにより、ラミネートシート１０では、第１の粘着層１１を介して被貼付面１６に貼り付けられたラミネートフィルム層１２から保護層１４を分離させても、第１の粘着層１１を介してラミネートフィルム層１２が被貼付面１６に貼り付いた状態が保たれ、かつ保護層１４と一緒に第２の粘着層１３がラミネートフィルム層１２から分離される。
【００２２】
粘着面Ｄが保護層１４の剥離面Ｅと当接された場合、例えば、ラミネートシート１０がロール状に巻き取られた場合（図３の符号２０参照。）、粘着面Ｄと剥離面Ｅとの間には、境界面Ｂよりも弱い貼着力、すなわち、境界面Ａおよび境界面Ｃよりも弱い貼着力が作用する。このため、ラミネートシート１０をロール状に巻き取り、ここからラミネートシート１０を繰り出した場合であっても、ラミネートシート１０の構成すなわち厚さ方向で見て第１の粘着層１１、ラミネートフィルム層１２、第２の粘着層１３および保護層１４が積層された構成が崩れることはなく、ラミネートシート１０の作用効果が変化することはない。このように、保護層１４は、ラミネートシート１０をロール状に巻き取った場合、第１の粘着層１１の粘着面Ｄが意図しない個所、例えば第２の粘着層１３に貼り付くことを防ぎ、粘着面Ｄが乾燥することを防ぐ機能を有している。また、保護層１４は、薄い膜状のラミネートフィルム層１２を保護する機能も有する。
【００２３】
次に、ラミネートシート１０を用いて貼付対象物１５の被貼付面１６にラミネートフィルム層１２を貼り付けるラミネート装置１７を説明する。図３ないし図５は、ラミネート装置１７を作業手順に沿って概念的に示す模式図である。なお、ラミネート装置１７の動作の説明、および図３ないし図５では、ラミネートフィルム層１２を貼付対象物１５に貼り付ける記載となっているが、ラミネートフィルム層１２は、前述したように、第１の粘着層１１の粘着力（貼着力）により貼付対象物１５に貼り付くことから、実際には、ラミネートシート１０のうちラミネートフィルム層１２および第１の粘着層１１が一体的に貼付対象物１５に貼り付くこととなる。
【００２４】
図３に示すように、貼付対象物１５は、長尺の帯状を呈しており、その上面（１６）に各種プリンタ等により印字されまたは画像が形成（以下、印字とも言う）されている（図示せず。）。ラミネートフィルム層１２は、印字された上面（１６）の耐水性、擦過性および耐光性等を確保するために貼り付けられる。このため、印字された上面（１６）が貼付対象物１５の被貼付面１６となる。
【００２５】
ラミネート装置１７は、貼付ローラ１８と、受けローラ１９と、シート供給ローラ２０と、剥離紙巻取ローラ２１とを有し、それぞれが互いに平行な回転軸線周りに回転可能とされている。
【００２６】
貼付ローラ１８は、上下方向に移動可能に設けられており、位置が固定された受けローラ１９との間隔が調節自在とされ、かつ受けローラ１９へ向けて押圧力を付与することが可能とされている。このため、本実施例のラミネート装置１７では、貼付ローラ１８および受けローラ１９がラミネートシート１０を貼付対象物１５に圧接させる一対のローラであり、互いに近接する個所が貼付ローラ１８および受けローラ１９のニップ部となる。
【００２７】
シート供給ローラ２０は、ラミネートシート１０がロール状に巻き取られて構成されており、ラミネートシート１０の繰り出し側の先端部が保護層１４のみとされている。これは、ラミネート装置１７では、保護層１４を剥離紙巻取ローラ２１に取り付ける際、貼付ローラ１８よりも剥離紙巻取ローラ２１側に位置するラミネートフィルム層１２が貼付対象物１５の被貼付面１６に貼り付けられることから、取り付け後に最初に駆動する際の先端のラミネートフィルム層１２（および第１の粘着層１１）の無駄を省くものである。剥離紙巻取ローラ２１は、ラミネートシート１０のラミネートフィルム層１２から分離された保護層１４を巻き取るための巻取ロールである。なお、本実施例では、ラミネートシート１０の繰り出し側の先端部は、保護層１４のみとされていたが、ラミネートフィルム層１２の無駄を省く観点から、保護層１４および第２の粘着層１３とされていてもよい。
【００２８】
次に、ラミネート装置１７の動作について説明する。
【００２９】
先ず、図３に示すように、貼付ローラ１８を上方へ移動して受けローラ１９との間隔を広げる。ラミネートシート１０の先端部の保護層１４をシート供給ローラ２０から引き出し、貼付ローラ１８の下端に当接させた状態で保護層１４を剥離紙巻取ローラ２１に取り付ける。
【００３０】
次に、被貼付面１６が貼付ローラ１８側に位置しかつ受けローラ１９の上端と当接するように、貼付対象物１５を巻取ロールおよび送出ロール（図示せず。）にセットする。この巻取ロールおよび送出ロールは、回転駆動することにより、貼付対象物１５を矢印Ｏ方向（図５参照。）へ走行させることができる。
【００３１】
その後、図４に示すように、貼付ローラ１８を下方へ移動させ（矢印Ｘ参照。）、受けローラ１９との間に押圧力を作用させる。この押圧力は、ラミネートフィルム層１２を貼付対象物１５の被貼付面１６に適切に貼り付けることができる大きさに設定されている。
【００３２】
図５に示すように、貼付対象物１５を巻取ロールおよび送出ロール（図示せず。）で矢印Ｏ方向へ送り出すと共に、シート供給ローラ２０を矢印Ｒ方向へ、剥離紙巻取ローラ２１を矢印Ｓ方向へ回転駆動させる。この回転駆動に伴って、貼付ローラ１８が矢印Ｐ方向へ、受けローラ１９が矢印Ｑ方向へ回転駆動する。この際、貼付ローラ１８は、上記したように受けローラ１９へ向けて押圧力を付与しているので（矢印Ｘ参照。）、適切な押圧力でラミネートシート１０は貼付対象物１５に圧接される。
【００３３】
これにより、ラミネートシート１０のラミネートフィルム層１２が貼付ローラ１８および受けローラ１９の間に入り込むと、ラミネートフィルム層１２は第１の粘着層１１の粘着作用により貼付対象物１５の被貼付面１６に貼り付けられ、かつ保護層１４が第２の粘着層１３と共に剥離紙巻取ローラ２１に巻き取られていく。よって、ラミネート装置１７は、ラミネートシート１０を使用することにより、熱を加えることなくラミネートフィルム層１２を貼付対象物１５の被貼付面１６に貼り付けることができる。
【００３４】
本発明に係るラミネートシート１０では、ラミネートフィルム層１２の一方の面に位置する第１の粘着層１１の粘着力を利用してラミネートフィルム層１２を貼付対象物１５の被貼付面１６に貼り付ける構成であるので、保護層１４をラミネートフィルム層１２から剥がすことなく、ラミネートフィルム層１２を被貼付面１６に貼り付けることができる。
【００３５】
また、ラミネートシート１０では、ラミネートフィルム層１２から保護層１４を剥がすことなく、ラミネートフィルム層１２を被貼付面１６に貼り付けた場合であっても、ラミネートフィルム層１２と被貼付面１６との貼り付け状態を阻害することなく、ラミネートフィルム層１２から第２の粘着層１３および保護層１４を分離させる、すなわち剥がすことができる。
【００３６】
ラミネートシート１０では、ラミネートフィルム層１２の他方の面に位置する第２の粘着層１３は、保護層１４のラミネートフィルム層１２からの分離の際、保護層１４と一緒にラミネートフィルム層１２から分離されるので、一方の面で被貼付面１６に貼り付けられたラミネートフィルム層１２の他方の面に粘着剤が残存することはなく、従来のラミネートシートと同様に被貼付面１６を被覆して保護することができる。
【００３７】
ラミネートシート１０では、ラミネートシート１０がローラ状にされた場合であっても、ラミネート装置１７のように簡易な構成で貼付対象物１５の被貼付面１６にラミネートフィルム層１２を貼り付け、かつ保護層１４をラミネートフィルム層１２から分離させることが可能である。これは、ラミネートフィルム層１２から見て、ラミネートフィルム層１２の貼付面となる粘着面Ｄと保護層１４とが反対の面に位置されていることによる。これにより、保護層１４をラミネートフィルム層１２から剥がす前であっても、貼付対象物１５の被貼付面１６にラミネートフィルム層１２を貼り付けることが可能であり、かつラミネートフィルム層１２を被貼付面１６に貼り付けた後であっても、ラミネートフィルム層１２と被貼付面１６との貼り付け状態を阻害することなく、ラミネートフィルム層１２から第２の粘着層１３および保護層１４を分離させることができる。このため、ラミネート装置１７では、受けローラ１９と協働してラミネートシート１０および貼付対象物１５を圧接する貼付ローラ１８に、ラミネートフィルム層１２および保護層１４の走行方向の分岐点を規定する機能を併せ持たせる構成とされており、貼付ローラ１８よりも下流側に剥離紙巻取ローラ２１を設けた簡易な構成で、保護層１４をラミネートフィルム層１２から分離させることができる。
【図面の簡単な説明】
【００３８】
【図１】本発明に係るラミネートシートを模式的に示す断面図である。
【図２】ラミネートシートにおけるラミネートフィルム層から保護層が分離された状態を示す図１と同様の断面図である。
【図３】本発明に係るラミネートシートを用いて貼付対象物の被貼付面にラミネートフィルム層を貼り付けるラミネート装置を概念的に示す模式図である。
【図４】図３と同様の模式図であり、図３よりも後の工程を示している。
【図５】図３と同様の模式図であり、図４よりも後の工程を示している。
【符号の説明】
【００３９】
１０  ラミネートシート
１１  第１の粘着層
１２  ラミネートフィルム層
１３  第２の粘着層
１４  保護層
１５  貼付対象物
１６  被貼付面
【図１】
2007118327.tif 000003
【図２】
2007118327.tif 000004
【図３】
2007118327.tif 000005
【図４】
2007118327.tif 000006
【図５】
2007118327.tif 000007